【手続補正書】
【提出日】平成28年8月23日(2016.8.23)
【手続補正１】
【補正対象書類名】特許請求の範囲
【補正対象項目名】全文
【補正方法】変更
【補正の内容】
【特許請求の範囲】
【請求項１】
防汚コーティングシステムであって、
（ａ）ベースコーティング材料と、場合によって第１の接着促進剤を含むベースコーティング組成物；および、
（ｂ）防汚コーティング組成物であって、
（ｉ）式：
（Ｒ1Ｏ）a（Ｒ1）(3-a)Ｓｉ−Ｒ2−（Ｓｉ（Ｒ1）2Ｏ）p−Ｓｉ（Ｒ1）2−Ｒ2−Ｏ−（ＣＨ2−ＣＨＲ1−Ｏ）q−Ｒ1（１）
［式中、ａは独立して１−３であり；Ｒ1は、ＨまたはＣ1−Ｃ10アルキルラジカルから独立して選ばれ；Ｒ2は、Ｃ2−Ｃ10アルキレンから独立して選ばれ；ｐは１−１００であり；ｑは１−５０である。］のシランと；
（ｉｉ）式：
Ｒ8(3-d)Ｒ7dＳｉ−Ｏ−（ＳｉＲ7ＬＯ）e−（ＳｉＲ72Ｏ）f−ＳｉＲ7dＲ8(3-d)（４）
［式中、Ｌは−（ＳｉＲ72Ｏ）n−ＳｉＲ7dＲ8(3-d)であり；Ｒ7は、Ｃ１〜Ｃ１０アルキル基、または置換もしくは非置換フェニル基から独立して選ばれ；Ｒ8は、アルコキシ、アセトキシまたはケトオキシムラジカルから独立して選ばれ；ｄは独立して０−２であり；ｅは１−１０，０００であり；ｆは１０−１００，０００である。］の官能化ポリマーと；
（ｉｉｉ）場合によって第２の接着促進剤と；（ｉｖ）場合によって無機充填剤と；（ｖ）場合によってシラン架橋剤と、場合によって縮合触媒とを含む防汚コーティング組成物、を含む防汚コーティングシステム。
【請求項２】
Ｒ8がアセトキシ基、アルコキシ基、又はケトオキシムラジカルである、請求項１に記載の防汚コーティングシステム。
【請求項３】
前記官能化ポリマーがアルファ，ガンマ−ビス（メチルジアセトキシシリル）ポリジメチルシロキサンである、請求項１に記載の防汚コーティングシステム。
【請求項４】
Ｒ1がメチルである、請求項１−３のいずれかに記載の防汚システム。
【請求項５】
前記シランが次のとおりである、請求項１−３のいずれかに記載の防汚システム。
【化１】
2016510079.tif 000001
【請求項６】
前記防汚コーティング組成物が、約１０重量パーセントから約９９重量パーセントの量の前記官能化ポリマー（ｉｉ）を含む、請求項１−５のいずれかに記載の防汚システム。
【請求項７】
前記防汚コーティング組成物が、約０．１重量パーセントから約４０重量パーセントの量の前記シラン（ｉ）を含む、請求項１−６のいずれかに記載の防汚システム。
【請求項８】
前記ベースコーティング組成物が防食コーティング材料を含む、請求項１−７のいずれかに記載の防汚システム。
【請求項９】
前記ベースコーティング組成物がエポキシ樹脂組成物を含む、請求項１−８のいずれかに記載の防汚システム。
【請求項１０】
前記第１の接着促進剤がエポキシ修飾接着促進剤を含み、
前記エポキシ修飾接着促進剤が下記化学式を有する少なくとも１個の分子を含む、請求項１−９に記載の防汚システム。
（Ｒ1Ｏ）a（Ｒ1）3-a−Ｓｉ−Ｍ−（Ｓｉ（Ｒ1）2Ｏ）r−（Ｓｉ（Ｒ1）（Ｏ1/2）（Ｏ））t−（Ｓｉ（Ｘ）（Ｏ1/2）（Ｏ））v−Ｓｉ（Ｒ1）2−Ｍ−Ｓｉ（ＯＲ1）a（Ｒ1）3-a
［式中、Ｒ1は独立してＨまたはアルキルラジカルであり、Ｍは独立してＲ2または酸素であり；ｒは０−１０００であり；ｔは１から２０であり；ｖは０から２０であり；Ｘは−Ｒ2−（Ｎ（Ｒ1）1-b（Ｙ）b−Ｒ2）c−Ｎ（Ｒ1）2-b（Ｙ）bであり；ａは１−３であり；ｂは０−２であり；ｃは０−５であり；Ｙは、独立してＲ1または１つの末端にエポキシドを有する有機ラジカルであり；Ｒ2は独立してＣ2−Ｃ10アルキレンである。ただし、少なくとも１つのＹは、１つの末端にエポキシドを有する有機ラジカルである。］。
【請求項１１】
前記エポキシ修飾接着促進剤が次式のものである、請求項１０に記載の防汚システム。
【化２】
2016510079.tif 000002
【請求項１２】
前記エポキシ修飾接着促進剤が、硬化したベースコーティング組成物の合計重量に対して約０．１重量パーセントから約２０重量パーセントの量で存在する、請求項１０または１１に記載の防汚システム。
【請求項１３】
請求項１−１２のいずれかに記載のコーティングシステムを含む物品であって、前記物品の表面に配置された前記ベースコーティング組成物から形成されたベースコート層、および、前記ベースコート層に配置された防汚コーティング層を含む物品。
【請求項１４】
前記コーティングシステムが、前記ベースコート層と前記防汚コーティング層の間に配置されるタイコート層を実質的に含まない、請求項１３に記載の物品。
【請求項１５】
前記物品の表面が、金属、ガラス繊維、木材、繊維強化プラスチック、コンクリートまたはその２種以上の組み合わせを含む、請求項１３または１４に記載の物品。
【請求項１６】
防汚性を示す表面を有する物品を得る方法であって、請求項１−１２のいずれかに記載のコーティングシステムを物品に適用する工程を含む方法。
【請求項１７】
前記ベースコーティング組成物を前記物品の表面に適用してベースコーティング層を形成する工程；および、前記防汚コーティング組成物を前記ベースコーティング層に直接適用して前記ベースコーティング層の上に重なる防汚コーティング層を形成する工程を含む、請求項１６に記載の方法。
【請求項１８】
防汚コーティングシステムであって、
（ａ）ベースコーティング材料、および場合によって第１の接着促進剤を含むベースコーティング組成物；
（ｂ）防汚コーティング組成物であって、
（ｉ）式：
（Ｒ1Ｏ）a（Ｒ1）(3-a)Ｓｉ−Ｒ2−（Ｓｉ（Ｒ1）2Ｏ）p−Ｓｉ（Ｒ1）2−Ｒ2−Ｏ−（ＣＨ2−ＣＨＲ1−Ｏ）q−Ｒ1（１）
［式中、ａは１−３であり；Ｒ1は、ＨまたはＣ1−Ｃ10のアルキルラジカルから独立して選ばれ；Ｒ2は、Ｃ2−Ｃ10アルキレンであり；ｐは１−１００であり；ｑは１−５０である。］のシランと；（ｉｉ）官能化ポリマーと：（ｉｉｉ）式：
Ｕ−Ｑ−Ｒ11−ＳｉＲ9gＲ10(3-g)
［式中、Ｑは−ＣＨ2ＣＨ（ＯＨ）−Ｏ−または−ＣＨ2ＣＨ（ＯＨ）ＣＨ2−ＮＲ12−であり；Ｕは
−Ｏ−（Ｃ6ＨhＲ9(4-h)−ＣＲ13−Ｃ6ＨhＲ9(4-h)−Ｏ−ＣＨ2ＣＨ（ＯＨ）ＣＨ2−Ｏ）i−Ｃ6ＨhＲ9(4-h)−ＣＲ13−Ｃ6ＨhＲ9(4-h)−Ｏ−Ｚ
であり；
ここで、Ｒ9は、Ｃ１〜Ｃ１０アルキル基または置換もしくは非置換フェニル基から独立して選ばれ；Ｒ10は、アルコキシ、アセトキシまたはケトオキシムラジカルから独立して選ばれ；Ｒ11はＣ１〜Ｃ４アルキレンであり、ｇは０−２であり；ｈは０−４であり；ここで、Ｒ12はＨまたは−ＣＨ2ＣＨ（ＯＨ）ＣＨ2−Ｕ−であり；Ｒ13は独立してＨまたはアルキルであり；ｉは０−１００であり；Ｚは、Ｈ、Ｑ−ＳｉＲ9hＲ10(3-h)または、
【化３】
2016510079.tif 000003
｛式中、ｍは１−２０である。｝である。］の第２の接着促進剤と；（ｉｖ）場合によって無機充填剤と；（ｖ）場合によってシラン架橋剤と、場合によって縮合触媒とを含む防汚コーティング組成物、を含む防汚コーティングシステム。
【請求項１９】
前記第２の接着促進剤が次式の化合物またはその組み合わせから選ばれる、請求項１８に記載の防汚コーティングシステム。
【化４】
2016510079.tif 000004
（５ａ）；
または
【化５】
2016510079.tif 000005
【請求項２０】
前記官能化ポリマーが、ヒドロキシル官能性、アセトキシ官能性、アルコキシ官能性、および／またはケトオキシム官能性ポリマーから選ばれる、請求項１８または１９に記載の防汚コーティングシステム。
【請求項２１】
前記ヒドロキシル官能性ポリマーが次式のものである、請求項２０に記載の防汚システム：
【化６】
2016510079.tif 000006
［式中、ｎは１−１００，０００であり；Ｒ3は、ＯＨ、ＯＲ1またはアルキルから別々に選ばれ；Ｒ1は独立してＨまたはアルキルラジカルであり；Ｒ4は、アルキル、アリールフルオロアルキル、フルオロアリール、アルキルアリールまたはＲ5から別々に選ばれ；Ｒ5およびＲ6は、別々にＯＨまたはＯＲ1であり、Ｒ3、Ｒ4、Ｒ5、Ｒ6またはその組み合わせの少なくとも１つはＯＨである。］。
【請求項２２】
前記官能化ポリマーが次式の化合物から選ばれる、請求項２０に記載の防汚システム
Ｒ8(3-d)Ｒ7dＳｉ−Ｏ−（ＳｉＲ7ＬＯ）e−（ＳｉＲ72Ｏ）f−ＳｉＲ7dＲ8(3-d)（４）
［式中、Ｌは−（ＳｉＲ72Ｏ）f−ＳｉＲ7dＲ8(3-d)であり；Ｒ7は、Ｃ１−Ｃ１０アルキル基、または置換もしくは非置換フェニル基から独立して選ばれ；Ｒ8は、アルコキシ、アセトキシまたはケトオキシムラジカルから独立して選ばれ；ｄは０−２であり；ｅは１−１０，０００であり；ｆは１０−１００，０００である。］。
【請求項２３】
前記官能化ポリマーが、α，ω−ビス（メチルジアセトキシシリル）ポリジメチルシロキサンである、請求項２２に記載の防汚コーティングシステム。
【請求項２４】
前記第１の接着促進剤が次式の化合物である、請求項１８−２３のいずれかに記載の防汚コーティングシステム
（Ｒ1Ｏ）a（Ｒ1）3-a−Ｓｉ−Ｍ−（Ｓｉ（Ｒ1）2Ｏ）r−（Ｓｉ（Ｒ1）（Ｏ1/2）（Ｏ））t−（Ｓｉ（Ｘ）（Ｏ1/2）（Ｏ））v−Ｓｉ（Ｒ1）2−Ｍ−Ｓｉ（ＯＲ1）a（Ｒ1）3-a
［式中、Ｒ1は、Ｈまたはアルキルラジカルから独立して選ばれ；Ｍは、Ｒ2または酸素から独立して選ばれ；ｒは０−１０００であり；ｔは１から２０であり；ｖは０から２０であり；Ｘは−Ｒ2−（Ｎ（Ｒ1）1-b（Ｙ）b−Ｒ2）c−Ｎ（Ｒ1）2-b（Ｙ）bであり；ａは１−３であり；ｃは０−５であり；ｂは０−２であり；Ｙは、Ｒ1または１つの末端にエポキシドを有する有機ラジカルから独立して選ばれ；Ｒ2はＣ2−Ｃ10アルキレンである。］。
【請求項２５】
前記第１の接着促進剤が少なくとも１個のＹ基を有し、１つの末端にエポキシドを有する有機ラジカルである、請求項２４に記載の防汚コーティングシステム。